(57)【特許請求の範囲】
【請求項１】
商品陳列用枠体等に着脱可能又は着脱不可能に取付けられる係合片と、この係合片に後端部が着脱可能又は着脱不可能に取付けられる後端部から前方に向けてやや下方に傾斜する傾斜部、該傾斜部から水平に延出されるか又は前方上方にやや傾斜する商品の前方への移動を制限する制動部及び取出し部を形成する商品陳列バーと、この商品陳列バーの上方に位置し前記係合片あるいは該商品陳列バーの後端部と連結された後端部から前方に向けて下方に傾斜する支持バーと、この支持バーに該支持バーの傾斜によってスライド移動して前記商品陳列バーに支持された商品を前方に押し付けることができる押し付け体と、該支持バーの前方裏側に形成され、前記商品陳列バーに支持された最前列陳列商品の上方部を前方から後方への上り傾斜の傾斜面で当接する当接部を備えることを特徴とする商品陳列具。
【請求項２】
前記商品陳列バーが金属製であり、また、前記係合部及び支持バーが樹脂製であることを特徴とする請求項１記載の商品陳列具。
【請求項３】
前記押し付け体にウエイトを装着させることを特徴とする請求項１又は２記載の商品陳列具。
【発明の詳細な説明】
【０００１】
【発明の属する技術分野】
本発明は、スーパーやドラッグストア等の商品陳列用枠体に商品を多数個吊り下げ状態に陳列するとともに、常に商品を前方に整然と陳列させ、商品の取出しに好適な商品陳列具に関するものである。
【０００２】
【従来の技術】
従来、スーパーやドラッグストアー等の商品陳列棚で用いられる所謂前出し商品陳列具が多数提案されている。例えば、図８に示す商品陳列具１００は、商品陳列バー部材に着脱可能又は着脱不可能に取付けることができる係合片４と、この係合片４に後端部が溶接等によって固定され、先端部が前方へ延出された多数個のパッケージされた商品５を吊り下げる商品陳列バー６と、この商品陳列バー６の上部に位置し、後端部が前記商品陳列バー６の後端部と一体形成された支持バー７と、この支持バー７の先端部に支持ブロック３０１を介して回転可能（図では省略）に取付けられた商品の脱落防止を兼ねる商品整列矯正部材２９と、前記支持バー７と商品陳列バー６に摺動可能なガイド部１２１、１２２を備え、上方部に一端を固定するスプリングコイル２８の作用により前方へ自動的に押出される押し出し板１２３とを備えるものである。商品陳列矯正部材２９は、商品陳列バー６に支持された最前端の商品５の商品陳列バー６との係合位置より下方に位置する部分（商品の重心位置より上方）に当接することにより、商品陳列バー６に支持された商品５を駐止状態とするか又は略鉛直状態に整列した姿勢に矯正するもので、アクリル樹脂等の透明板材により上下方向に長い矩形状に成形されている。
【０００３】
【発明が解決しようとする課題】
しかしながら、前記商品陳列具１００は商品陳列バー６に支持された商品５を駐止状態とするか又は略鉛直状態に整列した姿勢に矯正する点では優れるものの、最前端の商品５を取出す際、最前端から２番目の商品が連れて取出されたり、商品を補充する際、両手を使う必要がある等不都合な点があった。
【０００４】
従って、本発明の目的は、常に商品を前方に整然と陳列させ、商品の取出しに好適な商品陳列具を提供するものである。
【０００５】
【課題を解決するための手段】
かかる実情において、本発明者は鋭意検討を行った結果、商品陳列バー及び支持バーを共に前方下方に傾斜させ、且つ商品陳列バーの前方部に前方への移動を制限する制動部を設けることにより前記課題を一挙に解決できることを見出し、本発明を完成するに至った。
【０００６】
すなわち、本請求項１に係る発明は、商品陳列用枠体等に着脱可能又は着脱不可能に取付けられる係合片と、この係合片に後端部が着脱可能又は着脱不可能に取付けられる後端部から前方に向けてやや下方に傾斜する傾斜部、該傾斜部から水平に延出されるか又は前方上方にやや傾斜する商品の前方への移動を制限する制動部及び取出し部を形成する商品陳列バーと、この商品陳列バーの上方に位置し前記係合片あるいは該商品陳列バーの後端部と連結された後端部から前方に向けて下方に傾斜する支持バーと、この支持バーに該支持バーの傾斜によってスライド移動して前記商品陳列バーに支持された商品を前方に押し付けることができる押し付け体と、該支持バーの前方裏側に形成され、前記商品陳列バーに支持された最前列陳列商品の上方部を前方から後方への上り傾斜の傾斜面で当接する当接部を備えることを特徴とする商品陳列具を提供することにある。かかる構成を採ることにより、商品陳列バーに陳列された商品は押し付け体と該商品陳列バーの下方傾斜の双方の作用により自動的に前出しされる。そして、該商品陳列バーの制動部に掛かると前方への移動力が弱められ、該制動部と前方端の取出し部との接合点付近で当接部に当接して陳列商品は静止する。これにより、陳列商品には無理な外力が作用することなく自然に陳列姿勢が採れると共に、最前端の商品を取出しても２番目の商品が連れて来ることはなく、陳列商品の取出し及び前出しを円滑に行うことができる。また、商品陳列バー部材は、一本の丸棒材を２箇所で屈曲させるのみで、前記傾斜部、制動部及び取出し部を形成できる。また、簡易な方法により、前出しが可能となる。
【０００８】
また、本発明は、前記商品陳列具において、前記商品陳列バーが金属製であり、また、前記係合部及び支持バーが樹脂製であることを特徴とする。かかる構成を採ることにより、前記発明と同様の効果を奏する他、商品の支持は金属製の商品陳列バー部材で行うため重量物でも陳列でき、また、係合部は樹脂であるため商品陳列棚枠体等に樹脂の弾性により容易に係合及び脱着ができる。また、寸法安定性を有し、種々のアタッチメント機能を付与し易い構造を有する。
【０００９】
また、本発明は、前記商品陳列具において、前記押し付け体にウエイトを装着させることを特徴とする。かかる構成を採ることにより、前記発明と同様の効果を奏する他、簡易な方法により、前出しが可能となる。
【００１０】
【発明の実施の形態】
本発明の第１の実施の形態における商品陳列具を図１〜図５を参照して説明する。図１は第１の実施の形態における商品陳列具の斜視図であり、図２は図１の商品陳列具の左側面図、図３は図１の商品陳列具の平面図、図４は図１の商品陳列具の正面図、図５は商品陳列バーの一部の側面図を示す。
【００１１】
商品陳列具１０は、係合片１と、係合片１に後端部が固定された商品陳列バー２と、商品陳列バー２の上方に位置し係合片１と連結された前方下方に傾斜する支持バー３と、支持バー３の先端部に回動可能に支持された商品表示具６と、押し付け体４とを有する。係合片１は商品陳列用枠体であるバー部材５に着脱可能であり、断面が略コ字状の係合片本体１１と、係合片本体１１の上方に位置する商品陳列バー２の後端部が固定される固定部１２とから成る。支持バー３は固定部１２に連接する後方連接部３４から前方下方に延出され、その先端部では水平姿勢の水平部３３を経由して商品表示具６を回動可能に支持する。また、水平部３３の裏面には最前列の商品５０の上方部を当接する円筒状の両翼を有する逆三角形状の当接部３１を形成する。係合片１と支持バー３とはナイロン６等の合成樹脂製であり、後述の金属製丸棒の商品陳列バー２と共にインサート成形された一体成形品である。
【００１２】
商品陳列バー２は商品５０を多数陳列する金属製の丸棒であり、後端部から前方に向けてやや下方に傾斜する傾斜部２１と、傾斜部２１から延出され前方上方にやや傾斜する制動部２２と、制動部２２から延出され商品の前方への飛び出しを防止するため斜め上方に屈曲する商品取出し部２３とから成る。図５に示すように、商品陳列用枠体に設置した状態において、傾斜部２１の傾斜角度θ１は約１０度であり、ＡＢ間の制動部２２の傾斜角度θ２は約３度であり、商品取出し部２３の傾斜角度θ３は約４２度である。
【００１３】
縦長楕円薄板状で樹脂製の押し付け体４は、前方への前出しを更に容易にする図では省略するウエイトを内部に装着し、支持バー３及び商品陳列支持バー２を遊嵌で貫通させる縦長の略Ｌ字状の貫通孔４２を形成する。従って、押し付け体４は貫通孔４２の上方内側面４３で支持バー３の上面部と当接しつつ摺動する。
【００１４】
商品表示具６は、支持バー３の先端部の軸受部３２に回動可能に軸支される連結軸部６４、カード挟持板６１、カード支持基板部６２及び連接部６３から成っている。カード挟持板６１は、カード支持基板部６２の前面にセットされる図では省略するカードを挟持するもので、カード支持基板部６２の前面に重ね合わせ状態に配置される。このカード挟持板６１の下端縁は断面が略円弧状となる連接部６３を介してカード支持基板部６２の下端縁に一体に連接され、その上端縁はカードの差し込み及び抜き取りが可能なように開放されている。
【００１５】
このような第１の実施の形態によれば、商品陳列バー２に陳列された商品５０はウエイトが装着された押し付け体４と、支持バー３及び商品陳列バー２の下方傾斜の双方の作用により自動的に前出しされる。そして、商品５０は商品陳列バー２の制動部２２に掛かると前方への移動力が弱められ、制動部２２であって当接部３１付近で静止する。これにより、陳列商品５０には無理な外力が作用することなく自然に陳列姿勢が採れると共に、最前端の商品を取出しても２番目の商品が連れて来ることはなく、陳列商品の取出し及び前出しを円滑に行うことができる。また、支持バー３の当接部３１は商品５０の上方を当接するが、支持バー３の弾性により商品を傷めることなく適度な力で当接できるため陳列姿勢が安定する。また、係合片２は樹脂製であるため商品陳列棚のバー部材５に樹脂の弾性により容易に係合及び脱着ができる。また、全体に軽量であり寸法安定性を有する。また、種々のアタッチメント機能を付与しやすい構造とすることができる。
【００１６】
本発明の第２の実施の形態について、図６及び図７を参照して説明する。図６及び図７は本発明の実施の形態における商品陳列具の商品陳列バー２の一部を示す側面図である。図６及び図７において、図１と同一の構成要素には同一の符号を付して、その説明を省略し、その異なる点について主に説明する。図６において、その異なる点は、前記前方上方にやや傾斜する制動部に代えて、高い摩擦係数を有する粗い面となるように水平部ＣＤ間２２ｂを形成したことにある。また、図７において、その異なる点は、前記前方上方にやや傾斜する制動部に代えて、傾斜部２１の前方端部ＥＦ間にゴム状物を被覆して摩擦係数を高めて制動部２２ｃとした点にある。このような第２の実施の形態によれば、上記第１の実施の形態と同様の効果を奏することができる。
【００１７】
本発明の商品陳列具において、上記第１の実施の形態における商品陳列バーの傾斜部、制動部及び商品取出し部の各傾斜角度θ１、θ２及びθ３の値は、特に制限されず、本発明の作用効果を奏する限り適宜定めればよい。
【００１８】
また、本発明において、商品陳列枠体としては、商品陳列棚のバー部材の他に、丸孔を有するパネル及び二本の線材等が挙げられる。この場合、係合片の形状としては、前者では丸孔に係合する係合片、後者では二本の線材に嵌合する係合片である。
【００１９】
【発明の効果】
本発明によれば、商品陳列バーに陳列された商品は押し付け体と、支持バー及び商品陳列バーの下方傾斜の双方の作用により自動的に前出しされる。そして、商品は商品陳列バーの制動部に掛かると前方への移動力が弱められ、制動部と前方端の取出し部との接合点付近で陳列商品は静止する。これにより、陳列商品には無理な外力が作用することなく自然に陳列姿勢が採れると共に、最前端の商品を取出しても２番目の商品が連れて来ることはなく、陳列商品の取出しと前出しを円滑に行うことができる。また、支持バーの当接部は商品の上方を当接するが、支持バーの弾性により商品を傷めることなく適度な力で当接できるため陳列姿勢が安定する。また、係合片は樹脂製であるため商品陳列棚のバー部材に樹脂の弾性により容易に係合及び脱着ができる。また、全体に軽量であり寸法安定性を有する。また、種々のアタッチメント機能を付与しやすい構造とすることができる。
【図面の簡単な説明】
【図１】本発明の第１の実施の形態における商品陳列具の斜視図を示す。
【図２】図１の商品陳列具の左側面図を示す。
【図３】図１の商品陳列具の平面図を示す。
【図４】図１の商品陳列具の正面図を示す。
【図５】図１の商品陳列具の商品陳列バーの一部を示す側面図である。
【図６】本発明の第２の実施の形態における商品陳列具の商品陳列バーの一部を示す側面図である。
【図７】本発明の第２の実施の形態における商品陳列具の他の商品陳列バーの一部を示す側面図である。
【図８】従来の商品陳列具の斜視図を示す。
【符号の説明】
１          係合片
２          商品陳列バー
３          支持バー
４          押し付け体
５          商品陳列用枠体
６          商品表示具
１０、１００  商品陳列具
１１          係合片本体
１２          固定部
２１、３５    傾斜部
２２、２２ａ、２２ｂ、２２ｃ          制動部
２３          商品取出し部
３１          当接部
３２          軸受部
３４          後方連接部
４２          貫通孔
５０          商品
６１          カード挟持板
６２          カード支持基板部
６３          連接部
θ１          傾斜部の傾斜角度
θ２          制動部の傾斜角度
θ３          商品取出し部の傾斜角度
【図１】
0004056116.tif 000002
【図２】
0004056116.tif 000003
【図３】
0004056116.tif 000004
【図４】
0004056116.tif 000005
【図５】
0004056116.tif 000006
【図６】
0004056116.tif 000007
【図７】
0004056116.tif 000008
【図８】
0004056116.tif 000009